(57)【要約】【課題】蛍光時期に応じて画像表示部に表示する内容を切換えることにより、撮影を円滑に行う。【解決手段】Ｓ１において計時を開始する。撮影者は被検眼眼底の観察動画を観察しながら蛍光剤の変化を観察し、同時に静止画撮影のためのアライメントを調整し、Ｓ２において撮影スイッチを操作することにより静止画撮影を行う。蛍光剤を静注直後の蛍光初期は、蛍光剤の変化を観察しながら短時間の内に多数の静止画を撮影しなければならない。Ｓ３において所定時間ａを経過したか否かを判断し、所定時間ａを経過すると蛍光後期に移行したと判断する。所定時間ａを経過していない場合にはＳ４に進み、観察動画表示を行い、所定時間ａを経過した場合にはＳ５に進み、静止画表示を行う。【選択図】図２
2010094433.tif 000002
【特許請求の範囲】
【請求項１】
被検眼の観察動画を撮影する観察動画撮影部と、被検眼の静止画を撮影する静止画撮影部と、前記観察動画と前記静止画の少なくとも一方を表示する画像表示部と、前記静止画撮影部による静止画撮影時に前記観察動画と前記静止画の何れかを前記画像表示部に表示する表示内容制御部を有することを特徴とする眼科撮影装置。
【請求項２】
静注した蛍光剤の蛍光初期又は蛍光後期の時期を判断する蛍光時期判断部を有し、前記表示内容制御部は、前記蛍光初期には前記静止画撮影時に前記観察動画を前記画像表示部に表示し、前記蛍光後期には前記静止画撮影時に撮影した前記静止画を前記画像表示部に表示することを特徴とする請求項１に記載の眼科撮影装置。
【請求項３】
被検眼の観察動画を撮影する観察動画撮影部と、被検眼の静止画を撮影する静止画撮影部と、静注した蛍光剤の蛍光初期又は蛍光後期の時期を判断する蛍光時期判断部と、前記観察動画と前記静止画の双方を表示する画像表示部と、動画観察時の前記蛍光初期又は前記蛍光後期では共に前記観察動画を前記静止画よりも大きく表示し、前記静止画撮影部による静止画撮影時の前記蛍光初期では前記観察動画を前記静止画よりも大きく表示し、前記蛍光後期では前記静止画を前記観察動画よりも大きく表示する表示内容制御部とを有することを特徴とする眼科撮影装置。
【発明の詳細な説明】
【技術分野】
【０００１】
本発明は、眼科の蛍光撮影を行うための眼科撮影装置に関するものである。
【背景技術】
【０００２】
従来から眼科撮影装置には、被検者に蛍光剤を静注（静脈注射）し、照明光により血管内の蛍光剤を励起させて被検眼眼底を蛍光撮影するものが知られている。眼底の血管内に流入する蛍光剤の量は、蛍光剤を静注してから一定時間経過後に急激に増大し、その後に徐々に減少する。蛍光剤を静注直後の蛍光初期においては、蛍光剤は最初に太い血管に流入し、その後に毛細血管に流入してゆくため、流入状態は激しく変化する。
【０００３】
蛍光撮影においては、この変化を詳細に観察することが重要であり、特許文献１においては蛍光撮影時に眼底像を観察しながら連続的な撮影を行うシステムが開示されている。
【０００４】
一方、蛍光剤を静注してから、更に一定時間が経過した蛍光後期においては、蛍光剤は血管内に十分に行き渡り、流入状態はあまり変化しなくなる。従って、蛍光後期においては変化が小さいため連続的な撮影の必要はなく、観察もさほど重要ではなくなる。
【０００５】
蛍光後期は静止画撮影枚数が少ないため、撮影が成功したか否かを直ちに判断できると、撮影を円滑に実施することができる。
【０００６】
【特許文献１】特開２００３−２３０５４０号公報
【発明の開示】
【発明が解決しようとする課題】
【０００７】
しかし、静止画撮影時には蛍光初期と蛍光後期の何れであるかの適当な表示がされていないために、蛍光撮影を円滑に行うことができないという問題を有している。
【０００８】
本発明の目的は、上述の課題を解消し、蛍光時期に応じて画像表示部に表示する内容を切換えることにより、撮影を円滑に行うことができる眼科撮影装置を提供することにある。
【課題を解決するための手段】
【０００９】
上記目的を達成するための本発明に係る眼科撮影装置は、被検眼の観察動画を撮影する観察動画撮影部と、被検眼の静止画を撮影する静止画撮影部と、前記観察動画と前記静止画の少なくとも一方を表示する画像表示部と、前記静止画撮影部による静止画撮影時に前記観察動画と前記静止画の何れかを前記画像表示部に表示する表示内容制御部を有することを特徴とする。
【００１０】
また、本発明に係る眼科撮影装置は、被検眼の観察動画を撮影する観察動画撮影部と、被検眼の静止画を撮影する静止画撮影部と、静注した蛍光剤の蛍光初期又は蛍光後期の時期を判断する蛍光時期判断部と、前記観察動画と前記静止画の双方を表示する画像表示部と、動画観察時の前記蛍光初期又は前記蛍光後期では共に前記観察動画を前記静止画よりも大きく表示し、前記静止画撮影部による静止画撮影時の前記蛍光初期では前記観察動画を前記静止画よりも大きく表示し、前記蛍光後期では前記静止画を前記観察動画よりも大きく表示する表示内容制御部とを有することを特徴とする。
【発明の効果】
【００１１】
本発明に係る眼科撮影装置によれば、蛍光撮影時の静止画撮影に適した表示になるように、蛍光時期に応じて表示する内容を切換えることで、円滑に撮影を行うことができる。
【発明を実施するための最良の形態】
【００１２】
本発明を図示の実施例に基づいて詳細に説明する。
【実施例１】
【００１３】
図１は実施例１における眼科撮影装置のブロック回路構成図を示している。静止画撮影部１及び観察動画撮影部２の出力は、画像記憶部３を介して表示内容制御部４に接続されている。また、表示内容制御部４には蛍光時期判断部５と画像表示部６が接続されている。
【００１４】
静止画撮影部１において撮影された被検眼の静止画像、及び観察動画撮影部２において撮影された被検眼の観察動画は、共に画像記憶部３に記憶される。表示内容制御部４は画像記憶部３から観察動画や静止画を取得して画像表示部６に表示すると共に蛍光時期判断部５を介して蛍光初期、蛍光後期の蛍光時期を判断する。
【００１５】
図２は本実施例における蛍光撮影のフローチャート図を示し、先ず図示しない撮影モード切換スイッチの切換えにより、蛍光撮影モードが選択されると蛍光撮影が開始される。そしてステップＳ１において、蛍光時期判断部５に内蔵されたタイマにより計時を開始する。計時の開始は、撮影者が図示しないタイマ開始スイッチを押して開始してもよいし、任意のタイミングで自動的に開始してもよい。
【００１６】
撮影者は画像表示部６に表示された被検眼眼底の観察動画を観察しながら、蛍光剤の変化を観察し、同時に静止画撮影のためのアライメントを調整する。アライメント調整が完了すると、ステップＳ２において、撮影者は図示しない撮影スイッチを操作することにより静止画撮影を行い、静止画撮影部１で撮影された静止画データは画像記憶部３に記憶される。なお、画像記憶部３は揮発性の記憶装置であっても、不揮発性の記憶装置であってもよい。
【００１７】
なお、蛍光撮影における蛍光剤を静注直後の蛍光初期においては、蛍光剤が流入してゆく状態の変化が激しいために、撮影者は蛍光剤の変化を観察しながら短時間に多数の静止画を撮影しなければならない。
【００１８】
続いてステップＳ３において、蛍光時期判断部５に内蔵されたタイマが所定時間ａを経過したか否かを判断する。例えば、所定時間ａを１０分と設定した場合には、１０分を経過すると蛍光時期判断部５は蛍光後期に移行したと判断する。所定時間ａを経過していない場合にはステップＳ４に進み、画像表示部６に観察動画を表示し、所定時間ａを経過した場合にはステップＳ５に進み、画像表示部６に静止画を表示する。
【００１９】
図３は本実施例１における蛍光初期の画像表示部６の制御方法の説明図である。蛍光撮影が開始されると、観察動画撮影部２において撮影された観察動画データは、画像記憶部３に記憶されると共に、表示内容制御部４は画像記憶部３から観察動画データを取得し、画像表示部６に観察動画Ｍ１を表示する。
【００２０】
この蛍光初期と判断されている間に、撮影者が静止画撮影を行うと、静止画撮影部１により撮影した静止画データを画像記憶部３に記憶すると共に、画像記憶部３から観察動画撮影部２が撮影した観察動画データを取得し、画像表示部６に観察動画Ｍ１’を表示する。
【００２１】
これにより撮影者は、静止画撮影直後も観察動画Ｍ１’により蛍光剤の流入状態の観察を継続でき、更に次の静止画撮影の操作にも集中することができるので、短時間の内に連続的な撮影をすることができる。
【００２２】
図４は本実施例１における蛍光後期の画像表示部６の制御方法の説明図である。静止画撮影前は観察動画撮影部２で撮影した観察動画データは画像記憶部３に記憶され、表示内容制御部４は画像記憶部３から観察動画データを取得し、画像表示部６に観察動画Ｍ１を表示する。
【００２３】
蛍光剤が既に血管内に十分に行き渡っている蛍光後期は、蛍光剤流入状態の変化は小さくなるので、撮影者は連続的な撮影を継続する必要はなく、５〜１０分間隔で撮影を行えば十分である。
【００２４】
蛍光時期判断部５が蛍光後期と判断している間に撮影者が静止画撮影を行うと、表示内容制御部４は画像記憶部３から静止画撮影部１が撮影した静止画データを取得し、画像表示部６に静止画Ｐ１を表示する。これにより、撮影者は撮影直後に、静止画Ｐ１の確認を行うことができ、再撮影が必要か否かを直ちに判断することができる。
【実施例２】
【００２５】
図５は本実施例２における蛍光初期の画像表示部６の制御方法の説明図である。蛍光撮影が開始されると、観察動画撮影部２で撮影した観察動画データは画像記憶部３に記憶され、表示内容制御部４は画像記憶部３から観察動画データを取得し、画像表示部６に観察動画Ｍ２を表示する。なお、静止画を１枚も撮影していない場合には、画像表示部６の右下に観察動画Ｍ２よりも小さい表示枠１１が表示されているだけで、表示枠１１内には何も表示されない。撮影者は被検眼眼底の観察動画Ｍ２を観察しながら、蛍光剤の変化を観察し、この動画観察時に静止画撮影のためのアライメントを調整し、静止画撮影の操作を行う。
【００２６】
蛍光初期に撮影者が静止画撮影を行うと、表示内容制御部４は画像記憶部３から観察動画撮影部２で撮影した観察動画データと、静止画撮影部１で撮影した静止画データの双方を取得し、画像表示部６に観察動画Ｍ２’、静止画Ｐ２の双方を表示する。この際に、観察動画Ｍ２’を静止画Ｐ２よりも大きく表示することにより、撮影者は蛍光初期の眼底像の観察及び撮影操作に集中できることに加え、撮影画像の簡易的な確認も同時に行うことができる。
【００２７】
図６は本実施例２における蛍光後期の画像表示部６の制御方法の説明図を示している。静止画撮影前に観察動画撮影部２で撮影した観察動画データは画像記憶部３に記憶される。表示内容制御部４は画像記憶部３から観察動画データと最近の静止画撮影部１で撮影した静止画データの双方を取得し、画像表示部６に観察動画Ｍ２を静止画Ｐ２よりも大きく表示する。
【００２８】
蛍光後期に静止画撮影を行うと、表示内容制御部４は画像記憶部３から観察動画撮影部２で撮影した観察動画データと静止画撮影部１で撮影した静止画データの双方を取得して、画像表示部６に観察動画Ｍ２’、静止画Ｐ２’の双方を表示する。この際に静止画Ｐ２’を観察動画Ｍ２’よりも大きく表示することにより、撮影者は撮影直後に静止画の確認を行うことに加え、簡易的な観察の継続も同時に行うことができる。
【００２９】
本実施例１、２においては、蛍光時期判断部５にタイマを内蔵し、その出力に基づいて蛍光初期から蛍光後期への移行を判断したが、被検眼眼底からの蛍光光量が所定の基準値を下回ったことを、図示しない光センサにより検知することにより判断することもできる。
【００３０】
また、上述の実施例においては、静止画撮影部と観察動画撮影部が異なる場合で説明したが、１台の撮影装置により観察と撮影を兼ねることもできる。
【図面の簡単な説明】
【００３１】
【図１】眼科撮影装置のブロック回路構成図である。
【図２】蛍光撮影のフローチャート図である。
【図３】実施例１の蛍光初期における表示制御方法の説明図である。
【図４】実施例１の蛍光後期における表示制御方法の説明図である。
【図５】実施例２の蛍光初期における表示制御方法の説明図である。
【図６】実施例２の蛍光後期における表示制御方法の説明図である。
【符号の説明】
【００３２】
１  静止画撮影部
２  観察動画撮影部
３  画像記憶部
４  表示内容制御部
５  蛍光時期判断部
６  画像表示部
１１  表示枠
Ｍ１、Ｍ１’、Ｍ２、Ｍ２’  観察動画
Ｐ１、Ｐ２、Ｐ２’  静止画
【図１】
2010094433.tif 000003
【図２】
2010094433.tif 000004
【図３】
2010094433.tif 000005
【図４】
2010094433.tif 000006
【図５】
2010094433.tif 000007
【図６】
2010094433.tif 000008